(57)【要約】【課題】ＬＥＤを取付けた複数の基板を、極めて簡単に取付け得るようにするとともに、ＬＥＤの交換も複数の各基板ごとに、経済的に行うことができ、さらに、ＬＥＤの数や左右位置の変更も容易に行い得るようにした照明装置を提供する。【解決手段】照明ケース３の下面に、開口部の幅寸法を奥部の幅よりも小とした長手方向を向く嵌合溝１２を設け、該嵌合溝１２の奥面に、前後両側において極性の異なる電極１６を全長に亘って設け、両電極１６に接触可能な２個の端子と、ＬＥＤ４とを有する複数の基板５を、照明ケース３の嵌合溝１２内に、その開口部より挿入して奥部内において水平回動させることにより、下方への脱落を防止するとともに、左右方向に移動可能に収容する。【選択図】  図３
2009199924.tif 000002
【特許請求の範囲】
【請求項１】
左右方向を向く照明ケースの下面に、下方に開口するとともに、開口部の幅寸法を奥部の幅よりも小とした長手方向を向く嵌合溝を設け、該嵌合溝の奥面または嵌合溝内の前後の対向面に、前後両側において極性の異なるレール状電極をそれぞれ嵌合溝のほぼ全長に亘って設け、前記両電極に接触可能な２個の端子と、該両端子が前記両電極に接触することにより給電される発光ダイオードとを有する複数の基板を、前記照明ケースの嵌合溝内に、その開口部より挿入して奥部内において水平回動させることにより、脱落を防止するとともに、左右方向に移動可能に収容したことを特徴とする照明装置。
【請求項２】
基板における取付け前の前後寸法を、嵌合溝の開口部を通過可能な寸法とするとともに、同じく取付け前の左右寸法を、嵌合溝における奥部の前後の対向面間の寸法とほぼ等しくし、かつ対角線方向の角部を、嵌合溝内において一方向のみにほぼ９０°だけ回転し得るように面取りしたことを特徴とする請求項１に記載の照明装置。
【請求項３】
嵌合溝における開口部の上面と嵌合溝に収容した基板との対向面間に、基板を、嵌合溝の奥面に設けた電極レール側に押し付ける押圧具を設けたことを特徴とする請求項１または２記載の照明装置。
【請求項４】
押圧具における少なくとも開口部または基板との当接部を、弾性材により形成したことを特徴とする請求項１ないし３のいずれかに記載の照明装置。
【請求項５】
押圧具を、上下寸法が前後方向の外方に向かって漸次小をなす側面視楔状としたことを特徴とする請求項１ないし３のいずれかに記載の照明装置。
【請求項６】
基板と嵌合溝の奥面との対向面の少なくともいずれか一方に、放熱板を設けたことを特徴とする請求項１ないし５のいずれかに記載の照明装置。
【発明の詳細な説明】
【技術分野】
【０００１】
本発明は、光源に発光ダイオードを用いてなる照明装置に関する。
【背景技術】
【０００２】
この種の発光ダイオードを用いた照明装置は、例えば特許文献１に記載されているように、発光ダイオードを、棚板の下面に左右方向に沿って取付けたものがある。
【０００３】
【特許文献１】特開２００１−２５０４２０号公報（図１）
【発明の開示】
【発明が解決しようとする課題】
【０００４】
上記特許文献１に記載されている照明装置に限らず、光源に発光ダイオードを用いて、下方等を左右方向に広範囲に照明する際には、複数の発光ダイオードを左右方向に長い絶縁性の基板に取付け、この基板を、上記棚板等の被取付体に、ねじ等の固定手段により固定するのが一般的である。
【０００５】
このように、複数の発光ダイオードを取付けた左右方向に長い基板を、被取付体にねじ等により固定すると、基板の取付けが面倒となるとともに、発光ダイオードが切れた際の交換作業も、基板全体を取り外して行ったり、基板ごと交換したりしなければならず、作業能率が悪く、コスト高にもなる。また、用途に応じて、発光ダイオードの数や左右位置を変更したいときに、それができないという問題がある。
【０００６】
本発明は、上記問題点を解決するためになされたもので、発光ダイオードを取付けた複数の基板を、ねじ等の固定手段を用いることなく、極めて簡単に取付け得るようにするとともに、発光ダイオードの交換も複数の各基板ごとに、容易にかつ経済的に行うことができ、さらに、発光ダイオードの数や左右位置の変更も容易に行い得るようにした照明装置を提供することを目的としている。
【課題を解決するための手段】
【０００７】
上記課題を解決するために、本発明の請求項１に記載の照明装置は、
左右方向を向く照明ケースの下面に、下方に開口するとともに、開口部の幅寸法を奥部の幅よりも小とした長手方向を向く嵌合溝を設け、該嵌合溝の奥面または嵌合溝内の前後の対向面に、前後両側において極性の異なるレール状電極をそれぞれ嵌合溝のほぼ全長に亘って設け、前記両電極に接触可能な２個の端子と、該両端子が前記両電極に接触することにより給電される発光ダイオードとを有する複数の基板を、前記照明ケースの嵌合溝内に、その開口部より挿入して奥部内において水平回動させることにより、脱落を防止するとともに、左右方向に移動可能に収容したことを特徴としている。
この特徴によれば、発光ダイオードを取付けた複数の基板を、照明ケースの下方より、その下面の嵌合溝内に、ねじ等の固定手段を用いることなく極めて簡単に収容して取付けることができるとともに、収容時において、基板に設けた２個の端子が極性の異なるレール状電極と接触することにより、発光ダイオードに簡単に給電することができる。また、発光ダイオードが切れた際等の交換も、複数の各基板ごとに容易に行い得るので、経済的であるばかりか、基板を着脱してその取付け数を増減することにより、発光ダイオードの数を、また、嵌合溝内において基板を左右方向に移動することにより、発光ダイオードの左右位置を、それぞれ容易に変更することができる。
【０００８】
本発明の請求項２に記載の照明装置は、請求項１に記載の照明装置であって、
基板における取付け前の前後寸法を、嵌合溝の開口部を通過可能な寸法とするとともに、同じく取付け前の左右寸法を、嵌合溝における奥部の前後の対向面間の寸法とほぼ等しくし、かつ対角線方向の角部を、嵌合溝内において一方向のみにほぼ９０°だけ回転し得るように面取りしたことを特徴としている。
この特徴によれば、基板の前後の端面を前後方向に向けて、嵌合溝の開口部の下方より挿入し、奥部内において一方向に９０°回転させるだけで、回転させた基板の左右の端面が、嵌合溝の奥部の前後の対向面と当接または近接することにより、基板を、嵌合溝内に、下方への抜け外れを防止して簡単に収容することができ、かつ前後方向にがたつくのも防止される。また、嵌合溝に沿って、基板を左右方向に安定的に移動させることができる。
【０００９】
本発明の請求項３に記載の照明装置は、請求項１または２に記載の照明装置であって、
嵌合溝における開口部の上面と嵌合溝に収容した基板との対向面間に、基板を、嵌合溝の奥面に設けた電極レール側に押し付ける押圧具を設けたことを特徴としている。
この特徴によれば、押圧具により、基板が上下方向にがたつくのが防止されるので、基板に設けた端子を確実に電極に接触させることができる。
【００１０】
本発明の請求項４に記載の照明装置は、請求項１ないし３のいずれかに記載の照明装置であって、
押圧具における少なくとも開口部または基板との当接部を、弾性材により形成したことを特徴としている。
この特徴によれば、弾性材が上下方向に弾性変形するので、押圧具を、開口部の上面と基板との間に容易に挟入することができるとともに、嵌合溝内に基板を安定的に保持することができる。
【００１１】
本発明の請求項５に記載の照明装置は、請求項１ないし３のいずれかに記載の照明装置であって、
押圧具を、上下寸法が前後方向の外方に向かって漸次小をなす側面視楔状としたことを特徴としている。
この特徴によれば、押圧具を開口部の上面と基板との間に挟入する際の楔作用により、嵌合溝内に基板を安定的に保持することができる。
【００１２】
本発明の請求項６に記載の照明装置は、請求項１ないし５のいずれかに記載の照明装置であって、
基板と嵌合溝の奥面との対向面の少なくともいずれか一方に、放熱板を設けたことを特徴としている。
この特徴によれば、発光ダイオードの熱及びそれにより加熱された複数の基板の熱が、放熱板を介して照明ケースに伝達され、外部に逃がされるので、発光ダイオードの寿命を延ばすことができる。また、照明ケースの下面に透光板を取付け、嵌合溝の内部を密閉した際でも、嵌合溝内に熱がこもることがない。
【発明を実施するための最良の形態】
【００１３】
以下、本発明の実施形態を、図面に基づいて説明する。図１は、本発明を適用した照明スタンドの正面図で、スタンド１の上端により本発明の照明装置２の右端部が支持されている。
【００１４】
照明装置２は、図２の拡大底面図及び図３の拡大縦断側面図に示すように、下方と左右両側方に開口する側面視ほぼ下向きコ字状断面の照明ケース３と、この照明ケース３内に収容された、下面に発光ダイオード(以下ＬＥＤと略称する)４が取付けられた複数の基板５と、上向き凸円弧状の反射板６と、照明ケース３の下端面を覆う透光板７とを備えている。
【００１５】
照明ケース３は、例えば放熱性のよいアルミニウムまたはその合金の押し出し成形品よりなり、上片３ａと、その前後両端(以下図２の下方及び図３の左方を前として説明する)より垂下する垂下片３ｂ、３ｂと、から下向き略コ字形に形成されている。上片３ａの上面には、複数の放熱フィン８が長手方向(左右方向)に全長に亘って形成されている。照明ケース３の左方の開口面は、カバー９により、また、右方の開口面は、カバーを兼ねる取付ブラケット１０により、それぞれ閉塞されている。
【００１６】
前後の垂下片３ｂ、３ｂのやや上方寄りの対向面(内面)には、内向きの突条１１、１１が、長手方向に全長に亘って対向状に突設され、両突条１１より上方の照明ケース３内には、開口部の幅寸法(前後寸法)、すなわち、両突条１１の対向面間の寸法が、奥部の幅(前後寸法)よりも小さい、あり溝状の嵌合溝１２が形成されている。
【００１７】
また、両垂下片３ｂ、３ｂの下端部の対向面には、左右両端が開口された内向きコ字状断面の凹溝１３、１３が、長手方向に全長に亘って形成され、この両凹溝１３に、上記透光板７がいずれか一方の側端より嵌合されている。
【００１８】
さらに、両垂下片３ｂにおける上記凹溝１３より若干上方の対向面には、溝幅の小さな内向きコ字状断面の凹溝１４、１４が長手方向に全長に亘って形成され、この両凹溝１４に、上記反射板６の前後の下端部が嵌合されている。なお、反射板６の上端面には、ＬＥＤ４が挿通可能な幅の挿通溝１５が形成されている。この挿通溝１５は、基板５をＬＥＤ４と共に左右方向に移動する際の妨げとならないように、左右いずれか一方の端部まで連続して形成されている。
【００１９】
上記嵌合溝１２には、極性の異なる平板レール状の前後の電極１６、１６と、放熱性に優れるアルミニウムまたはシリコン等よりなる放熱板１７とが、放熱板１７を中央に位置させて、かつ嵌合溝１２の奥面に当接するようにして、左右方向に全長に亘って嵌合されている。
【００２０】
図４に示すように、上記各基板５の取付け前の前後寸法Ｌは、嵌合溝１２の開口部である前後の突条１１、１１間を通過し得るように、その対向面間の前後寸法より僅かに小とされている。また、取付け前の左右寸法Ｈは、嵌合溝１２の奥部の対向面の前後寸法とほぼ等しくしてある。さらに、対角線方向の角部には、一方の長さが他方より長い面取り１８、１９が、それぞれ互いに平行に形成されている。
【００２１】
基板５をこのような形状とすると、図５に示すように(上下反転して示す)、基板５を、寸法の大きい方を左右方向に向けて嵌合溝１２内に下方より挿入した後、長さの長い面取り１８方向、すなわち平面視時計方向にほぼ９０°だけ水平回転させることができ、この回転時に、基板５の左右の両端が嵌合溝１２の奥部の前後の対向面に当接または近接することにより、基板５が嵌合溝１２より下方に抜け外れるのが防止され、かつ前後方向にがたつくのも防止される。
【００２２】
各基板５におけるＬＥＤ４の取付部には、左右方向を向く長孔２４が形成され、この長孔２４には、基板５と同じ厚さの、アルミニウムまたはシリコン製の放熱板２０が嵌め込まれている。
【００２３】
各基板５の上面には、前後の電極１６、１６の下面に接触することにより、ＬＥＤ４に給電する平板状の端子２１、２１が、基板の上面とほぼ同一面をなすようにして固着されている。
【００２４】
基板５を、上記のようにして嵌合溝１２に下方より収容した後、嵌合溝１２の開口部上面である左右の突条１１、１１の上面と、基板５の前後両端部との対向面間に、押圧具２２、２２を、前後方向の内方より挟入することにより、基板５は、嵌合溝１２の奥面側、すなわち、電極１６側に押圧されている。これにより、基板５の端子２１が電極１６の下面に確実に接触するようになる。
【００２５】
押圧具２２は、図６に示すように、基板５の左右寸法とほぼ同じ寸法の厚肉板状をなすように、合成樹脂等により成形され、突条１１の上面と接触する下面には、硬質ゴムやエラストマー等の弾性材２３が固着されている。
【００２６】
このような弾性材２３を有していると、弾性材２３が上下方向に弾性変形するので、押圧具２２を容易に挟入することができるとともに、嵌合溝１２内に基板５を安定的に保持することができる。なお、弾性材２３は、基板５と接触する上面側または上下両面に設けてもよく、また、押圧具２２全体を、弾性材２３により成形してもよい。
【００２７】
さらに、図７に示すように、弾性材２３を設ける代わりに、押圧具２２の下面を、上下寸法が前後方向の外方に向かって漸次小をなす側面視楔状としてもよく、このようにすると、押圧具２２を押し込む際の楔作用により、基板５が上方に押圧されるので、これを嵌合溝１２内に安定的に保持することができるとともに、端子２１が電極１６と確実に接触するようになる。
【００２８】
以上説明したように、本発明の照明装置２においては、ＬＥＤ４を有する複数の基板５を、照明ケース３の内部に形成された、開口幅が奥部の幅よりも小さい嵌合溝１２内に、下方より収容して保持し得るようにしているので、ねじ等の固定手段を用いることなく、極めて簡単に取付けることができる。
【００２９】
また、収容時において、基板５に設けた２個の端子２１が極性の異なるレール状電極１６と接触することにより、ＬＥＤ４に簡単に給電することができる。しかも、電極１６は左右方向に長いので、基板５を左右方向のどの位置に収容しても、そのＬＥＤ４に給電される。さらに、ＬＥＤ４が切れた際等の交換も、複数の各基板５ごとに容易に行い得るので、経済的である。
【００３０】
また、ＬＥＤ４を有する各基板５は着脱が容易であり、かつ嵌合溝１２内を左右方向に移動可能であるので、ＬＥＤ４の数や左右方向の配置位置を、それぞれ用途に応じて容易に変更することができる。
【００３１】
以上、本発明の実施例を図面により説明してきたが、具体的な構成はこれら実施例に限られるものではなく、本発明の要旨を逸脱しない範囲における変更加があっても本発明に含まれる。
【００３２】
なお、上記実施形態においては、照明ケース３に反射板６及び透光板７を取り付けているが、それらは省略してもよい。
【００３３】
また、上記実施形態では、前後の電極１６を嵌合溝１２の奥面に設けているが、嵌合溝１２内の前後の対向面（内側面）に設けてもよい。この際には、基板５の端子を、その前後の側端面に設ければよい。
【００３４】
また、押圧具２２は、基板５に一体的に設けてもよく、また、基板５を嵌合溝１２にきつめに収容して、上下方向のがたをなくせば、押圧具２２を省略することもできる。
【００３５】
さらに、押圧具２２は、各基板５に対応する長さに形成されたものに限定されるものではなく、照明ケース３の長手方向に亘り延設し、複数の基板５を同時に押圧可能としてもよい。
【図面の簡単な説明】
【００３６】
【図１】本発明を適用した照明スタンドの正面図である。
【図２】照明装置の拡大底面図である。
【図３】図１のIII-III線に沿う拡大縦断側面図である。
【図４】基板の拡大底面図である。
【図５】照明ケースの嵌合溝への基板の取付け手順を、上下反転させて示す斜視図である。
【図６】押圧具の斜視図である。
【図７】押圧具の変形例を示す斜視図である。
【符号の説明】
【００３７】
２    照明装置
３    照明ケース
４    発光ダイオード
５    基板
１１  突条
１２  嵌合溝
１６  電極
１７  放熱板
１８  面取り
１９  面取り
２１  端子
２２  押圧具
２３  弾性材
【図１】
2009199924.tif 000003
【図２】
2009199924.tif 000004
【図３】
2009199924.tif 000005
【図４】
2009199924.tif 000006
【図５】
2009199924.tif 000007
【図６】
2009199924.tif 000008
【図７】
2009199924.tif 000009